(57)【要約】【課題】電気掃除機がスタンド収納状態で保管されているときには安定した係止力を有し、取り外しのときには容易に取り外すことができるストッパー及び係止孔を備えた電気掃除機を提供する。【解決手段】延長パイプ５等に設けられたストッパー９と電気掃除機本体１の底面側に設けられた係止孔１０を備え、前記ストッパー９が前記係止孔１０に挿入され電気掃除機本体１がスタンド収納状態で保持されているときに、電気掃除機本体１が底面側に傾いたときは、ストッパー９の挿入部９ａに設けられた突起１２と係止孔１０の内壁に設けられた突起１３が当接するものである。【選択図】        図４
2004195043.tif 000002
【特許請求の範囲】
【請求項１】
ホース、延長パイプ及び床ブラシのいずれかに取り付けられたストッパーと、電気掃除機本体の底面側に設けられ前記ストッパーが挿入される係止孔とを備え、前記ストッパーが前記係止孔に挿入されて前記電気掃除機本体をスタンド収納状態で保持できる電気掃除機において、
前記ストッパー側に第１の突起を設け、前記係止孔側に第２の突起を設けて、前記ストッパーが前記係止孔に挿入されて前記電気掃除機本体がスタンド収納状態で保持されているときに、前記第１の突起が前記第２の突起の下側近傍又は下側で接触する位置にあり、さらに前記電気掃除機本体が底面側に傾いたときに、前記第１の突起と前記第２の突起が当接することを特徴とする電気掃除機。
【請求項２】
前記第１の突起がストッパーの挿入部に設けられ、前記第２の突起が前記係止孔の内壁に設けられたことを特徴とする請求項１記載の電気掃除機。
【請求項３】
前記第１の突起が前記ストッパーに隣接する位置に設けられ、前記第２の突起が前記係止孔に隣接する位置に設けられたことを特徴とする請求項１記載の電気掃除機。
【請求項４】
前記第１の突起と前記第２の突起を、前記ストッパーの挿入部の中心軸から左右どちらかに偏らせて設けたことを特徴とする請求項２記載の電気掃除機。
【請求項５】
前記第１の突起の下部及び前記第２の突起の上部の両方又はどちらか一方を傾斜面にしたことを特徴とする請求項１〜４のいずれかに記載の電気掃除機。
【請求項６】
前記第１の突起が、前記ストッパーの挿入部又は前記ストッパーに隣接する位置にバネを介して設けられたことを特徴とする請求項１〜５のいずれかに記載の電気掃除機。
【請求項７】
前記第２の突起が、前記係止孔の内壁又は前記係止孔に隣接する位置にバネを介して設けられたことを特徴とする請求項１〜５のいずれかに記載の電気掃除機。
【請求項８】
ホース、延長パイプ及び床ブラシのいずれかに取り付けられたストッパーと、電気掃除機本体の底面側に設けられ前記ストッパーが挿入される係止孔とを備え、前記ストッパーが前記係止孔に挿入されて前記電気掃除機本体をスタンド収納状態で保持できる電気掃除機において、
前記ストッパー側に第３の突起を設け、前記係止孔側に第１の凹部を設けて、前記ストッパーが前記係止孔に挿入されて電気掃除機本体がスタンド収納状態で保持されているときに、前記第３の突起と前記第１の凹部がほぼ隣り合う位置にあり、さらに前記電気掃除機本体が底面側に傾いたときに、前記第３の突起と前記第１の凹部が係合することを特徴とする電気掃除機。
【請求項９】
前記第３の突起が前記ストッパーの挿入部に設けられ、前記第１の凹部が前記係止孔の内壁に設けられたことを特徴とする請求項８記載の電気掃除機。
【請求項１０】
前記第３の突起が前記ストッパーに隣接する位置に設けられ、前記第１の凹部が前記係止孔に隣接する位置に設けられたことを特徴とする請求項８記載の電気掃除機。
【請求項１１】
ホース、延長パイプ及び床ブラシのいずれかに取り付けられたストッパーと、電気掃除機本体の底面側に設けられ前記ストッパーが挿入される係止孔とを備え、前記ストッパーが前記係止孔に挿入されて前記電気掃除機本体をスタンド収納状態で保持できる電気掃除機において、
前記ストッパー側に第２の凹部を設け、前記係止孔側に第４の突起を設けて、前記ストッパーが前記係止孔に挿入されて電気掃除機本体がスタンド収納状態で保持されているときに、前記第２の凹部と前記第４の突起がほぼ隣り合う位置にあり、さらに前記電気掃除機本体が底面側に傾いたときに、前記第２の凹部と前記第４の突起が係合することを特徴とする電気掃除機。
【請求項１２】
前記第２の凹部が前記ストッパーの挿入部に設けられ、前記第４の突起が前記係止孔の内壁に設けられたことを特徴とする請求項１１記載の電気掃除機。
【請求項１３】
前記第２の凹部が前記ストッパーに隣接する位置に設けられ、前記第４の突起が前記係止孔に隣接する位置に設けられたことを特徴とする請求項１１記載の電気掃除機。
【請求項１４】
前記ストッパーが前記係止孔に挿入されて前記電気掃除機本体がスタンド収納状態で保持され、さらに電気掃除機本体が底面側に傾いたときに、前記ストッパーの先端部と前記係止孔の前記延長パイプ側の側面が接触することを特徴とする請求項１〜１３のいずれかに記載の電気掃除機。
【発明の詳細な説明】
【０００１】
【発明の属する技術分野】
本発明は電気掃除機に係り、更に詳しくは電気掃除機のスタンド収納方式に関するものである。
【０００２】
【従来の技術】
従来の電気掃除機では、電気掃除機を使用していないときに電気掃除機本体の後面を床面に接地させ電気掃除機本体を略直立状態で起立させる、いわゆるスタンド収納状態にして、延長パイプに設けられたストッパーを電気掃除機本体側に設けられた係止孔に上方から差し込み、電気掃除機本体、ホース、延長パイプ及び床ブラシを一体にして保管するのが一般的である（例えば、特許文献１参照）。
【０００３】
スタンド収納状態では電気掃除機本体が安定して略直立状態を保てるように、走行用車輪（後輪）の接地点と電気掃除機本体の後面の接地点の間隔を広く取る必要がある。しかし、近年では電気掃除機本体の走行性を良くするために走行用車輪（後輪）の径を大きく取ることが多く、この場合には走行用車輪（後輪）の接地点と電気掃除機本体の後面の接地点が狭くなっていた。上記２つの接地点の間隔が狭くなったことにより電気掃除機本体の底面（通常の使用状態で床面に対向する面）の側に倒れやすくなるため、床ブラシを床面に接地させて安定して略直立状態が保てるようにしているものがあった。
【０００４】
また、従来の電気掃除機には、ストッパーが係止孔に挿入されて、電気掃除機本体、ホース、延長パイプ及び床ブラシが一体となった状態で、走行用車輪（後輪）を使って床面上を移動させることができるものがあった。このような電気掃除機には、床面の上で引っ張られたときにストッパーが係止孔から抜けないように、ストッパー及び係止孔に突起を設けて、前記２つの突起が係合するようにしたものがあった（例えば、特許文献２参照）。
【０００５】
【特許文献１】
特開平１１−１５５７７３号公報（第９頁、図１）
【特許文献２】
実開平５−９４４９号公報（第２頁、図１、第４頁、図５）
【０００６】
【発明が解決しようとする課題】
従来の電気掃除機では（例えば、特許文献１参照）、床ブラシを床面と接地させている場合に電気掃除機本体が底面側に傾くと、ストッパーと係止孔の係止力が弱い場合には、ストッパーが係止孔から外れて電気掃除機本体が転倒し、床や家具を傷つける等の問題点があった。また、ストッパーと係止孔の係止力が強すぎる場合には、電気掃除機本体から延長パイプが外れにくく、例えばホースを持ってストッパーを係止孔から外そうとしたときに、電気掃除機本体が一緒に持ち上って落下し、床面を傷つける等の問題点があった。
【０００７】
また、従来の電気掃除機でストッパー及び係止孔に突起を設けている場合には（例えば、特許文献２参照）、電気掃除機がスタンド収納状態で保管されているときには前記２つの突起は離れた位置にあり、電気掃除機本体が底面側に傾いたときには前記２つの突起は係合しないか、又は不安定な状態でしか係合しなかった。このため、スタンド収納状態のとき電気掃除機が底面側に倒れたときはストッパーが係止孔から抜けてしまうという問題点があった。また、電気掃除機本体を底面側に傾けて移動させるために、スタンド収納状態で保管している状態では床ブラシが床面から離れた状態とする必要があるため、電気掃除機本体が底面側に傾いたときは支えがなく容易に転倒するという問題点があった。
【０００８】
本発明は、電気掃除機がスタンド収納状態で保管されているときには安定した係止力を有し、取り外しのときには容易に取り外すことができるストッパー及び係止孔を有する電気掃除機を提供することを目的とする。
【０００９】
【課題を解決するための手段】
本発明に係る電気掃除機は、ホース、延長パイプ及び床ブラシのいずれかに取り付けられたストッパーと、電気掃除機本体の底面側に設けられストッパーが挿入される係止孔とを備え、ストッパーが係止孔に挿入されて電気掃除機本体をスタンド収納状態で保持できる電気掃除機において、ストッパー側に第１の突起を設け、係止孔側に第２の突起を設けて、ストッパーが係止孔に挿入されて電気掃除機本体がスタンド収納状態で保持されているときに、第１の突起が第２の突起の下側近傍又は下側で接触する位置にあり、さらに電気掃除機本体が底面側に傾いたときに、第１の突起と第２の突起が当接するものである。
【００１０】
【発明の実施の形態】
実施形態１．
図１は本発明の実施形態１に係る電気掃除機のスタンド収納状態を示す側面図である。電気掃除機本体１は後面（底面と略垂直で後輪側の面）を床面と対向させた状態で置かれており、両側面後部の走行用車輪２と電気掃除機本体１の後面に設けられたスタンド足３が床面と接地している。電気掃除機本体１の前面（後面と反対側の面）にはホース４が取り付けられており、ホース４の他端には延長パイプ５及び床ブラシ６が接続されている。また、電気掃除機本体１の底面にはキャスターが付いた前輪７が設けられている。
【００１１】
延長パイプ５の中程にはリング状のホルダー８がネジにより締め付け固定されており、ホルダー８には略Ｌ字形に屈曲したストッパー９が設けられ、ホルダー８を介して延長パイプ５にストッパー９が取り付けられている。ストッパー９は、電気掃除機本体１がスタンド収納状態で、電気掃除機本体１の底面側に設けられた係止孔１０に上方から挿入できるようになっている。なお、電気掃除機本体１の底面側に係止孔１０を設けるとは、係止孔１０を電気掃除機本体１に設ける他に、前輪７のキャスター等の電気掃除機本体１に取り付けられた部品に係止孔１０を設ける場合を含む。
ストッパー９が係止孔１０に挿入された状態では、床ブラシ６が床面と接するか、ほぼ接するようになっている。なお、ホルダー８の取り付け位置は電気掃除機本体１の係止孔１０の位置に合わせて床ブラシ６又はホース４に取り付けてもよい。なお、図１ではストッパー９を係止孔１０に挿入していない状態を示している。
【００１２】
図２は、実施形態１において、電気掃除機本体１がスタンド収納状態であるときのストッパー９と係止孔１０の挿入状態を示す部分断面図である。図２において、ストッパー９の先端部１１が係止孔１０の奥まで挿入された状態ではストッパー９の挿入部９ａに設けられた突起１２が、係止孔１０の内壁に設けられた突起１３の下側近傍又は下側で接触する位置にある。突起１２は本発明の第１の突起の一例を示すものであり、突起１３は本発明の第２の突起の一例を示すものである。突起１２は下部に緩やかな傾斜面１４ａと上部にストッパー９の挿入部９ａにほぼ垂直な面１５ａを有し、突起１３は上部に緩やかな傾斜面１４ｂと下部に係止孔１０の内壁にほぼ垂直な面１５ｂを有している。なお、傾斜面１４ａと傾斜面１４ｂはどちらか一方だけが緩やかな傾斜面であってもよい。
突起１２と突起１３の水平方向の距離Ｍは、ストッパー９を係止孔１０へ挿入するときは互いにぶつからないが、ストッパー９の先端部１１を係止孔１０の奥まで挿入したときに突起１２が突起１３の下側近傍又は下側で接触する位置にくる程度にする。なお、突起１２と突起１３を、ストッパー９が係止孔１０に挿入されるときに互いにぶつかるが、簡単にストッパー９を挿入できる程度にしてもよい。
【００１３】
図３はストッパー９を係止孔１０に挿入したスタンド収納状態で、電気掃除機本体１が底面側に傾いた状態を示す側面図である。電気掃除機本体１が傾くことにより、床ブラシ６には床面から電気掃除機本体１を支えようとする上向きの力が作用する。このとき、床ブラシ６の接地点６ａとストッパー９の先端部１１は水平方向に距離Ｌだけ離れているため、延長パイプ５がストッパー９を軸として図３のＡ方向の回転力が働き、電気掃除機本体１と延長パイプ５が略ハの字の状態となって支え合う。このとき、安定して前記略ハの字状態を保持するためには、図３に示すように電気掃除機本体１の底面と延長パイプ５のなす角度θが０〜２０°であることが望ましい。角度θが０〜２０°であればスタンド収納状態のときの置き場所の省スペース化を実現することもできる。
【００１４】
図４は、図３において電気掃除機本体１と延長パイプ５が略ハの字の状態になったときのストッパー９と係止孔１０の挿入状態を示す部分断面図である。図４に示すように突起１２は電気掃除機本体１側に押しつけられ、突起１２の面１５ａと突起１３の面１５ｂが当接し支え合い、ストッパー９は係止孔１０から抜けずに、電気掃除機本体１と延長パイプ５は略ハの字の状態のまま保持される。
このとき、図４に示すようにストッパー９の先端部１１の角１１ａが、係止孔１０の延長パイプ５側の側面１６と接するようにすることが望ましい。このようにすることによりストッパー９が係止孔１０と、突起１２の面１５ａと角１１ａの２点で接することになるため、ストッパー９がぐらつくことがなくなり電気掃除機本体１と延長パイプ５は安定した略ハの字状態を保持することができる。なお、以下に示す実施形態２から８においても、ストッパー９の先端部１１の角１１ａと係止孔１０の延長パイプ５側の側面１６が接するようにするのが望ましい。
図５は本実施形態１の電気掃除機本体１の底面の斜視図である。図５では、突起１３が係止孔１０の横幅のすべてに亘って設けられている。図６は本実施形態１のストッパー９の斜視図である。
【００１５】
本実施形態１では、電気掃除機本体１が底面側に傾いた状態になっても、突起１２の面１５ａと突起１３の面１５ｂが当接し支え合うことにより、ストッパー９は係止孔１０から抜けることがないため、電気掃除機本体１と延長パイプ５が略ハの字の状態で保持され電気掃除機本体１が転倒するのを防止することができる。なお、電気掃除機本体１が傾いた状態であるのは、一時的であっても継続的であってもよい。また、突起１２と突起１３は緩やかな傾斜面１４ａ、傾斜面１４ｂを有するためストッパー９を係止孔１０に挿入するときにスムーズに挿入することができる。さらに、図３に示す電気掃除機本体１の底面と延長パイプ５のなす角度θが小さい場合には、ストッパー９を係止孔１０から抜いたときに電気掃除機本体１はスタンド足３が接地した状態に戻り、ストッパー９の抜き差しをスムーズに行うことができる。
【００１６】
実施形態２.
図７は実施形態２に係る電気掃除機本体１の底面の斜視図である。図５の実施形態１では、突起１３が係止孔１０の横幅すべてに亘って設けられているが、電気掃除機本体１が底面側に傾いたときに突起１２と当接する位置であれば、図７に示すように突起１３を係止孔１０の一部だけに設けてもよい。なお、ストッパー９の挿入部９ａに設けられた突起１２も、ストッパー９の横幅すべてでなく一部に設けてもよい。
【００１７】
本実施形態２では、電気掃除機本体１が底面側に傾いた状態になっても、図３及び図４の実施形態１と同様に、突起１２の面１５ａと突起１３の面１５ｂが当接し支え合うことにより、ストッパー９は係止孔１０から抜けることがないため、電気掃除機本体１と延長パイプ５が略ハの字の状態で保持され電気掃除機本体１が転倒するのを防止することができる。
【００１８】
実施形態３．
図８は実施形態３のストッパー９と係止孔１０の挿入状態を示す部分断面図である。突起１２の面１５ａと突起１３の面１５ｂを図８に示すように傾斜させることにより、電気掃除機本体１が底面側に傾いたときの突起１２と突起１３の係止力を増すことができる。なお、突起１２と突起１３は図５及び図６に示すように係止孔１０又はストッパー９の挿入部９ａの横幅すべてに設けても、図７に示すように一部に設けてもよい。
【００１９】
本実施形態３では、電気掃除機本体１が底面側に傾いた状態になっても図３及び図４の実施形態１と同様に、突起１２の面１５ａと突起１３の面１５ｂが当接し支え合うことにより、ストッパー９が係止孔１０から抜けるのを防止することができる。また、面１５ａと面１５ｂが傾斜していることにより、突起１２と突起１３の係止力が増し、よりストッパー９が係止孔１０から抜けにくくなる。
【００２０】
実施形態４．
図９は実施形態４のストッパー９と係止孔１０の挿入状態を示す部分断面図である。本実施形態４は、実施形態１又は２において、突起１２をストッパー９の挿入部９ａにバネ１７を介して取り付けたものである。突起１２は、バネ１７によってストッパー９の挿入部９ａから突出する方向に弾性的に押されている。なお、実施形態３や、以下に示す実施形態５から７においても同様に、突起１２を、ストッパー９の挿入部９ａ又はストッパー９に隣接する位置にバネ１７を介して取り付けてもよい。
【００２１】
図９に示すように、バネ１７を設けることにより、突起１２が係止孔１０側に押し出されて常に電気掃除機本体１側に弾性付勢されるようにできる。またストッパー９を係止孔１０に挿入するときは、突起１２が突起１３に押されてバネ１７が縮むことにより容易に挿入することができる。また電気掃除機本体１がスタンド収納状態で保管されて、ストッパー９が係止孔１０に挿入されているときに、振動が加えられてもバネ１７の弾性により安定した状態を保つことができる。なお、突起１３をバネ１７を介して係止孔１０側に取り付けてもよい。
【００２２】
実施形態５．
図１０は実施形態５の、ストッパー９を係止孔１０に挿入した状態での、突起１２と突起１３の取り付け位置を示す部分断面図である。図１０に示すように突起１３を係止孔１０の延長パイプ５側の側面１６に設けて、突起１２をストッパー９の挿入部９ａの突起１３側の位置に設けてもよい。
【００２３】
本実施形態５では、図３及び図４の実施形態１と同様に、電気掃除機本体１が底面側に傾いて電気掃除機本体１と延長パイプ５が略ハの字の状態になったときに、突起１２と突起１３が当接してストッパー９が係止孔１０から抜けるのを防止することができる。
【００２４】
実施形態６．
図１１は実施形態６に係る突起１２と突起１３の取り付け位置を示す部分側面図である。図１２は実施形態６に係る電気掃除機本体１の底面の斜視図であり、図１３は実施形態６に係るストッパー９の斜視図である。図１２に示すように突起１３は係止孔１０に隣接する位置に設けられており、図１３に示すように突起１２はストッパー９に隣接する位置に設けられている。突起１２は、本発明の第１の突起の一例を示すものであり、突起１３は本発明の第２の突起の一例を示すものである。図１１に示すように、電気掃除機本体１がスタンド収納状態でストッパー９を係止孔１０に挿入したときは、突起１２は突起１３の下側近傍又は下側で接触する位置にある。電気掃除機のその他の部分については図１の実施形態１と同様である。
【００２５】
本実施形態６では、電気掃除機本体１が底面側に傾いた状態になっても、図３及び図４の実施形態１と同様に、突起１２と突起１３が当接して支え合うことにより、ストッパー９は係止孔１０から抜けることがないため、電気掃除機本体１と延長パイプ５は略ハの字の状態で保持され、電気掃除機本体１が転倒するのを防止することができる。
【００２６】
実施形態７．
図１４は実施形態７に係るストッパー９の斜視図である。図１４に示すように、突起１２はストッパー９の挿入部９ａの横幅より狭く、ストッパー９の挿入部９ａの中心軸Ｄから偏らせて設けられており、図７の実施形態２を変形したものである。図１５及び図１６は実施形態７において、ストッパー９が係止孔１０に挿入されて電気掃除機本体１がスタンド収納状態で保持されているときに、ストッパー９と係止孔１０を上方向から見た図である。図１５に示すように突起１３は突起１２の上側に位置するように設けられており、電気掃除機本体１がスタンド収納状態で保持されストッパー９が係止孔１０に挿入され、電気掃除機本体１が底面側に傾いたときは、図３及び図４の実施形態１と同様に電気掃除機本体１と延長パイプ５は略ハの字の状態になって支え合う。
ストッパー９を係止孔１０から抜くときは、図１６に示すＢの方向に、手で延長パイプ５を少し回転させると突起１２と突起１３が重なり合わなくなり、容易にストッパー９を抜くことができる。
【００２７】
図１７は、図１５においてストッパー９にＲ部１８を設けた場合の図であり、図１８は図１７においてストッパー９を係止孔１０から抜くときの図である。図１７のようにストッパー９にＲ部１８を設けると、図１８に示すようにストッパー９を手でＣの方向に回せばストッパー９の角が係止孔１０の内側壁に当たることがなく、突起１２と突起１３が重なり合わなくなるのでストッパー９を容易に抜くことができる。
【００２８】
本実施形態７では、電気掃除機本体１が底面側に傾いた状態になっても、図３及び図４の実施形態１と同様に、突起１２と突起１３が当接して支え合うことにより、ストッパー９は係止孔１０から抜けることがないため、電気掃除機本体１と延長パイプ５は略ハの字の状態で保持され電気掃除機本体１が転倒するのを防止することができる。また、突起１２と突起１３をストッパー９の挿入部９ａの中心軸から偏らせて設けたために、延長ホース５を手で少し回転させることによって容易にストッパー９を係止孔１０から抜くことができる。
【００２９】
実施形態８．
図１９は実施形態８に係るストッパー９と係止孔１０の挿入状態を示す部分断面図である。なお、凹部１３ａと突起１２以外の部分については図１の実施形態１と同様である。図１９において、電気掃除機本体１がスタンド収納状態でストッパー９の先端部１１が係止孔１０の奥まで挿入されたときは、ストッパー９の挿入部９ａに設けられた突起１２が係止孔１０の内壁に設けられた凹部１３ａとほぼ隣り合う位置にある。この突起１２は本発明の第３の突起の一例を示すものであり、凹部１３ａは本発明の第１の凹部の一例を示すものである。図２０は、図１９において電気掃除機本体１が底面側に傾いたときの図である。電気掃除機本体が底面側に傾いたときは突起１２が凹部１３ａに係合され、図３の実施形態１と同様に電気掃除機本体１と延長パイプ５は略ハの字の状態となって支え合う。
【００３０】
なお、突起１２と凹部１３ａは図１２及び図１３の実施形態６と同様に、それぞれストッパー９に隣接する位置と係止孔１０に隣接する位置に設けてもよい。この場合、突起１２は本発明の第３の突起の一例を示すものであり、凹部１３ａは本発明の第１の凹部の一例を示すものである。また、ストッパー９の挿入部９ａに凹部を設けて係止孔１０の内壁に突起を設けてもよい。この場合、ストッパー９の挿入部９ａの凹部は本発明の第２の凹部の一例を示すものであり、係止孔１０の内壁の突起は本発明の第４の突起の一例を示すものである。さらには、ストッパー９に隣接する位置に凹部を設けて係止孔１０に隣接する位置に突起を設けてもよい。この場合、ストッパー９に隣接する位置の凹部は本発明の第２の凹部の一例を示すものであり、係止孔１０に隣接する位置の突起は本発明の第４の突起の一例を示すものである。
【００３１】
本実施形態８では、電気掃除機本体１が底面側に傾いた状態になっても、突起１２と凹部１３ａが係合して支え合うことにより、ストッパー９は係止孔１０から抜けることがないため、図３及び図４の実施形態１と同様に電気掃除機１と延長パイプ５は略ハの字の状態で保持され電気掃除機本体１が転倒するのを防止することができる。
【００３２】
【発明の効果】
以上のように本発明によれば、ストッパー側に第１の突起を設け、係止孔側に第２の突起を設けて、ストッパーが係止孔に挿入されて前記電気掃除機本体がスタンド収納状態で保持されているときに、第１の突起が第２の突起の下側近傍又は下側で接触する位置にあり、さらに電気掃除機本体が底面側に傾いたときに、第１の突起と前記第２の突起が当接することにより、ストッパーが係止孔から抜けるのを防止することができ、安定したスタンド収納状態を保持できる電気掃除機を提供することができる。
【図面の簡単な説明】
【図１】本発明の実施形態１に係る電気掃除機のスタンド収納状態の側面図である。
【図２】本発明の実施形態１に係るストッパーと係止孔の挿入状態の一例を示す部分断面図である。
【図３】本発明の実施形態１に係る電気掃除機がスタンド収納状態であるときの側面図である。
【図４】本発明の実施形態１に係るストッパーと係止孔の挿入状態を示す部分断面図である。
【図５】本発明の実施形態１に係る電気掃除機の底面を示す斜視図である。
【図６】本発明の実施形態１に係るストッパーを示す斜視図である。
【図７】本発明の実施形態２に係るストッパーを示す斜視図である。
【図８】本発明の実施形態３に係るストッパーと係止孔の挿入状態の一例を示す部分断面図である。
【図９】本発明の実施形態４に係るストッパーと係止孔の挿入状態の一例を示す部分断面図である。
【図１０】本発明の実施形態５に係るストッパーと係止孔の挿入状態を示す部分断面図である。
【図１１】本発明の実施形態６に係るストッパーと係止孔の挿入状態を示す部分断面図である。
【図１２】本発明の実施形態６に係る電気掃除機の底面を示す斜視図である。
【図１３】本発明の実施形態６に係るストッパーを示す斜視図である。
【図１４】本発明の実施形態７に係るストッパーの一例を示す斜視図である。
【図１５】本発明の実施形態７に係るストッパーと係止孔の挿入状態の一例を示す上面図である。
【図１６】本発明の実施形態７に係るストッパーと係止孔の挿入状態の一例を示す上面図である。
【図１７】本発明の実施形態７に係るストッパーと係止孔の挿入状態の一例を示す上面図である。
【図１８】本発明の実施形態７に係るストッパーと係止孔の挿入状態の一例を示す上面図である。
【図１９】本発明の実施形態８に係るストッパーと係止孔の挿入状態の一例を示す部分断面図である。
【図２０】本発明の実施形態８に係るストッパーと係止孔の挿入状態の一例を示す部分断面図である。
【符号の説明】
１  電気掃除機本体、２  走行用車輪、３  スタンド足、４  ホース、５  延長パイプ、６  床ブラシ、７  前輪、８  ホルダー、９  ストッパー、９ａ  ストッパーの挿入部、１０  係止孔、１１  ストッパーの先端部、１２  突起、１３  突起、１３ａ  凹部、１４ａ  傾斜面、１４ｂ  傾斜面、１５ａ  面、１５ｂ  面、１６  係止孔の延長パイプ側の側面、１７  バネ、１８  Ｒ部。
【図１】
2004195043.tif 000003
【図２】
2004195043.tif 000004
【図３】
2004195043.tif 000005
【図４】
2004195043.tif 000006
【図５】
2004195043.tif 000007
【図６】
2004195043.tif 000008
【図７】
2004195043.tif 000009
【図８】
2004195043.tif 000010
【図９】
2004195043.tif 000011
【図１０】
2004195043.tif 000012
【図１１】
2004195043.tif 000013
【図１２】
2004195043.tif 000014
【図１３】
2004195043.tif 000015
【図１４】
2004195043.tif 000016
【図１５】
2004195043.tif 000017
【図１６】
2004195043.tif 000018
【図１７】
2004195043.tif 000019
【図１８】
2004195043.tif 000020
【図１９】
2004195043.tif 000021
【図２０】
2004195043.tif 000022